(57)【特許請求の範囲】
【請求項１】
入力されたＲＧＢ画像データがカラーかモノクロかを判定する判定手段と、
前記ＲＧＢ画像データにカラー画像補正処理を行い、カラー画像データを出力するカラー画像補正処理手段と、
前記ＲＧＢ画像データにモノクロ画像変換処理を行いモノクログレースケール画像データに変換するモノクロ画像変換処理手段と、
前記カラー画像データとモノクログレースケール画像データを蓄積する蓄積手段と、
前記蓄積手段に蓄積された画像データを外部ネットワークに送信するネットワークインターフェースと、
前記判定手段の判定結果に基づいて前記蓄積手段に蓄積されているカラー画像データとモノクログレースケール画像データの一方を外部ネットワークに出力する制御手段と、
を備えた画像処理装置において、
前記カラー画像補正処理手段によるカラー画像補正処理と前記モノクロ画像変換処理手段によるモノクロ画像変換処理が行われると同時に前記判定手段によりカラーかモノクロかの判定が行われ、前記蓄積手段に蓄積される画像データは多値画像であること
を特徴とする画像処理装置。
【請求項２】
前記ＲＧＢ画像データが画像データ読み取ってＲＧＢ画像データを得る画像読み取り手段からの入力データであることを特徴とする請求項１記載の画像処理装置。
【請求項３】
前記カラー画像補正処理手段と前記モノクロ画像変換処理手段には同一のＲＧＢ画像データが同時に入力されることを特徴とする請求項１記載の画像処理装置。
【請求項４】
前記モノクロ画像変換処理手段によって変換されたモノクログレースケール画像を２値化する２値化手段を備えていることを特徴とする請求項１ないし３のいずれか１項に記載の画像処理装置。
【請求項５】
前記蓄積手段は、前記２値化手段によって２値化されたモノクログレースケール画像を蓄積することを特徴とする請求項４記載の画像処理装置。
【請求項６】
前記カラー画像補正処理手段の処理要素と前記モノクロ画像変換処理手段の処理要素が一部共用されていることを特徴とする請求項１ないし５のいずれか１項に記載の画像処理装置。
【請求項７】
前記一部共用される処理要素が前記カラー画像補正処理手段の色補正処理部の前段に設けられたスキャナγ処理及びフィルタ処理であることを特徴とする請求項６記載の画像処理装置。
【請求項８】
前記判定手段の判定の閾値が画質モードによって切り替えられることを特徴とする請求項１ないし７のいずれか１項に記載の画像処理装置。
【請求項９】
請求項１ないし８のいずれか１項に記載の画像処理装置を備えていることを特徴とする画像形成装置。
【発明の詳細な説明】
【技術分野】
【０００１】
本発明は入力されたＲＧＢ画像データを処理し、ネットワークを介して外部装置あるいは画像形成装置の作像部に転送する画像処理装置、及びこの画像処理装置を備えた複写機、ファクシミリ、プリンタあるいはこれらの機能を備えたデジタル複合機などの画像形成装置に関する。
【背景技術】
【０００２】
この種の技術として例えば特許文献１ないし４に記載された発明が公知である。このうち特許文献１には、原稿の読み取りに関する作業効率を向上させることを目的とし、原稿読み取り部によって読み取られた読み取り画像に基づいて原稿の種別を判定する判定手段と、前記判定手段による判定結果に基づいて前記読み取り画像を処理する画像処理手段とを備え、前記原稿読み取り部は、予め定められた複数の原稿の種別のうち最も情報量の多い原稿の種別に適合した読み取り画像が得られるように読み取り処理を実行し、前記画像処理手段は、前記判定結果に係る原稿の種別が前記情報量の最も多い原稿の種別に一致しない場合に、前記読み取り画像の形式を前記判定結果に係る原稿の種別に適合する形式に変換し、あるいは、前記原稿読み取り部は、カラーの原稿に適合した読み取り処理を実行し、前記画像処理手段は、前記判定結果に係る原稿の種別がカラー原稿以外の種別である場合に、カラーの読み取り画像を前記判定結果に係る原稿の種別に適合する形式に変換するようにした発明が記載されている。
【０００３】
また、特許文献２には、エリア指定されたエリア内を写真モード処理する場合、そのエリアがカラーであるかモノクロであるか、また絵柄が銀塩写真、網点写真かを自動判定し、本スキャン時には、それぞれに適した色補正などの処理を切り替え、エリア内の写真を色再現性よく再生することを目的とし、原稿をＲ，Ｇ，Ｂのディジタル信号として読み出し、予め所定の方法によって定められた色補正係数群を用いて、各画素毎に、該Ｒ，Ｇ，Ｂ信号を記録信号に変換する画像処理装置において、前記原稿中の絵柄領域を指定する手段と、該指定された絵柄領域から所定の特徴量を検出する手段と、該特徴量によって、前記絵柄領域がカラーであるかモノクロであるか、銀塩写真の絵柄であるか網点写真の絵柄であるかを判定する手段と、該判定結果に基づいて前記色補正係数群を選択する手段とを備えた発明が記載されている。
【０００４】
また、特許文献３には、１回の読み取りで、カラー画像、グレースケール画像及びモノクロ画像を得られるようにすることを目的とし、原稿の所定単位から読み取られたＲ、Ｇ及びＢデータからカラー画像ファイル、グレースケール画像ファイル及びモノクロ画像ファイルを生成する画像処理装置であって、入力するＲ、Ｇ及びＢデータからカラー画像ファイルを作成するカラー画像ファイル作成手段と、入力するＧデータからグレースケール画像ファイルを作成するグレースケール画像ファイル作成手段と、当該グレースケール画像作成手段により作成されたグレースケール画像からモノクロ画像ファイルを作成するモノクロ画像ファイル作成手段と、当該カラー画像ファイル作成手段により作成されたカラー画像ファイル、当該グレースケール画像ファイル作成手段により作成されたグレースケール画像ファイル及び当該モノクロ画像ファイル作成手段により作成されたモノクロ画像ファイルをそれぞれ所定記憶領域に記憶する画像表示用メモリと、当該画像表示用メモリに記憶される当該カラー画像ファイル、当該グレースケール画像ファイル及び当該モノクロ画像ファイルの各画像を表示する画像表示手段とからなることを特徴とする発明が記載されている。
【０００５】
さらに、特許文献４には、エリア指定されたエリア内を写真モード処理する場合、そのエリアがカラーであるかモノクロであるか、また原稿の種類、特に絵柄が銀塩写真であるのか網点写真であるのかを自動判定し、本スキャン時には、それぞれに適した色補正などの処理を切り替え、エリア内の写真を色再現性よく再生する画像処理装置を提供することを目的とし、原稿をＲ，Ｇ，Ｂのディジタル信号として読み出し、予め所定の方法によって定められた色補正係数群を用いて、各画素毎に、該Ｒ，Ｇ，Ｂ信号を記録信号に変換する画像処理装置であって、前記原稿中の絵柄領域を指定する手段と、該指定された絵柄領域から所定の特徴量を検出する手段と、該検出された特徴量を基に前記絵柄領域がカラーであるかモノクロであるか、網点写真の絵柄であるか銀塩写真の絵柄であるかを判定する手段と、該判定結果に基づいて前記色補正係数群を選択する手段とを備えたことを特徴とする発明が記載されている。
【特許文献１】特開２００１−２８５６５３号公報
【特許文献２】特開平０６−２０５２０４号公報
【特許文献３】特開平１０−３２６３３６号公報
【特許文献４】特許第３３３０４０８号公報
【発明の開示】
【発明が解決しようとする課題】
【０００６】
これらの公知技術では、カラー画像とモノクロ画像を判別してその判別結果に応じて前記画像の種類に応じて所定の処理を行うように構成されていた。一方、これらの画像データを送信する場合、画像データを読み取ってＲＧＢ画像データを蓄積する画像蓄積装置と読み取り時のカラー・モノクロの判定結果により送信時にカラー→モノクロ変換→２値化を行って画像送信をする構成が一般的であった。
【０００７】
しかし、前述のように画像データを読み取ってＲＧＢ画像データを蓄積する画像蓄積装置と読み取り時のカラー・モノクロの判定結果により送信時にカラー→モノクロ変換→２値化を行って画像送信すると、画像蓄積後に複雑な画像処理を行った後に画像送信を行うことになるので、送信時に画像処理時間がかかる結果となっていた。これに対し、処理時間がかからないようにアルゴリズムを簡略化すると、画質が劣化を引き起こしていた。
【０００８】
本発明は、このような従来技術の実情に鑑みてなされたもので、その目的は、カラー／モノクロの判定と一連の処理を行った画像データを即座に送信することができるようにすることにある。
【課題を解決するための手段】
【０００９】
前記目的を達成するため、第１の手段は、入力されたＲＧＢ画像データがカラーかモノクロかを判定する判定手段と、前記ＲＧＢ画像データにカラー画像補正処理を行い、カラー画像データを出力するカラー画像補正処理手段と、前記ＲＧＢ画像データにモノクロ画像変換処理を行いモノクログレースケール画像データに変換するモノクロ画像変換処理手段と、前記カラー画像データとモノクログレースケール画像データを蓄積する蓄積手段と、前記蓄積手段に蓄積された画像データを外部ネットワークに送信するネットワークインターフェースと、前記判定手段の判定結果に基づいて前記蓄積手段に蓄積されているカラー画像データとモノクログレースケール画像データの一方を外部ネットワークに出力する制御手段と、を備えた画像処理装置において、前記カラー画像補正処理手段によるカラー画像補正処理と前記モノクロ画像変換処理手段によるモノクロ画像変換処理が行われると同時に前記判定手段によりカラーかモノクロかの判定が行われ、前記蓄積手段に蓄積される画像データは多値画像であることを特徴とする。
【００１０】
第２の手段は、第１の手段において、前記ＲＧＢ画像データが画像データ読み取ってＲＧＢ画像データを得る画像読み取り手段からの入力データであることを特徴とする。
【００１１】
第３の手段は、第１の手段において、前記カラー画像補正処理手段と前記モノクロ画像変換処理手段には同一のＲＧＢ画像データが同時に入力されることを特徴とする。
【００１２】
第４の手段は、第１ないし第３の手段において、前記モノクロ画像変換処理手段によって変換されたモノクログレースケール画像を２値化する２値化手段を備えていることを特徴とする。
【００１３】
第５の手段は、第４の手段において、前記蓄積手段が前記２値化手段によって２値化されたモノクログレースケール画像を蓄積することを特徴とする。
【００１４】
第６の手段は、第１ないし第５の手段において、前記カラー画像補正処理手段の処理要素と前記モノクロ画像変換処理手段の処理要素が一部共用されていることを特徴とする。
【００１５】
第７の手段は、第６の手段において、前記一部共用される処理要素が前記カラー画像補正処理手段の色補正処理部の前段に設けられたスキャナγ処理及びフィルタ処理であることを特徴とする。
【００１６】
第８の手段は、第１ないし第７のいずれかの手段において、前記判定手段の判定の閾値が画質モードによって切り替えられることを特徴とする。
【００１７】
第９の手段は、第１ないし第８のいずれかの手段に係る画像処理装置を画像形成装置が備えていることを特徴とする。
【００１８】
なお、後述の実施形態では、判定手段はカラー／モノクロ判定装置１２０に、カラー画像補正処理手段はカラー画像補正処理部１３０に、モノクロ画像変換処理手段はモノクロ画像補正処理部１４０に、蓄積手段は画像蓄積装置１６０に、ネットワークＩ／Ｆは符号１８０に、制御手段は蓄積制御装置１５０に、画像読み取り手段は画像読み取り装置１１０に、２値化手段は２値化装置１４５に、色補正処理部は符号１３３に、画像処理装置は符号１００にそれぞれ対応する。
【発明の効果】
【００１９】
本発明によれば、画像を読み取って即座に画像の送信を行うことができる。
【発明を実施するための最良の形態】
【００２０】
以下、図面に基づき、本発明を実施するための最良の形態について説明する。
【００２１】
＜第１の実施形態＞
図１は本発明の第１の実施形態に係る画像処理装置の構成を示すブロック図である。同図において、画像処理装置１００は画像読み取り装置１１０、カラー／モノクロ判定装置１２０、カラー画像補正処理部１３０、モノクロ画像補正処理部１４０、蓄積制御装置１５０、画像蓄積装置１６０、多値画像圧縮装置１７０及びネットワークＩ／Ｆ１８０から構成されている。原稿を読み取る場合、画像読み取り装置１１０によって原稿が読み取られ  Ｒ、Ｇ、Ｂに色分解されたデータが得られる。ＲＧＢに分解された画像データはカラー／モノクロ判定装置１２０、カラー画像補正処理部１３０、モノクロ画像補正処理部１４０にそれぞれ入力される。
【００２２】
図２はカラー画像補正処理部１３０の構成を示す機能ブロック図で、スキャナγ処理部１３１、フィルタ処理部１３２、色補正処理部１３３及び出力γ処理部１３４を備え、入力画像に対してまず、スキャナγ処理を行い、次いで、フィルタ処理、色補正処理を実行し、さらに出力γ処理を行った後、ＲＧＢデータを蓄積制御装置１５０に出力する。スキャナγ処理部１３１では反射率リニアである読み取りデータを明度などのある一定のγに変換する。この変換は入力８ｂｉｔ、出力８ｂｉｔのＬＵＴで構成されている。フィルタ処理部１３２は５×５のマトリクスサイズの空間フィルタである。色補正処理部１３３は３×３の行列演算による線形変換でもよいし、ＬＵＴでもよい。出力γ処理部１３４はＬＵＴによって構成されている。ユーザの読み取り画像の濃度の変更指示によってＬＵＴの内容が変更され、読み取り画像の濃度が変更される。
【００２３】
図３はモノクロ画像補正処理部１４０の構成を示す機能ブロック図で、スキャナγ処理部１４１、モノクロ変換処理部１４２、フィルタ処理部１４３及び出力γ処理部１４４を備え、入力画像に対してまず、スキャナγ処理、モノクロ変換処理、フィルタ処理及び出力γ処理を実行し、グレースケールの画像データを出力する。モノクロ画像補正処理部１４０ではスキャナγ処理部１４１でスキャナγ処理を行った後にモノクロ変換が行われている。ここでは、ＲＧＢの信号から計算式で輝度を求めている。フィルタ処理部１４３は５×５のマトリクスサイズの空間フィルタを備え、フィルタ処理を行う。出力γ処理部１４４はＬＵＴによって構成されている。ユーザの読み取り画像の濃度の変更指示によってＬＵＴの内容が変更され、読み取り画像の濃度が変更される。
【００２４】
この画像処理装置１００では、画像読み取り装置１１０から出力されたＲＧＢデータに対してカラー画像補正処理とモノクロ画像補正処理が行われると同時にカラー／モノクロ判定装置１２０によって原稿がカラーかモノクロかの判定が行われる。図４は原稿がカラーかモノクロかを判定する処理手順を示すフローチャートである。
【００２５】
この処理手順では、まず、カウンタをリセットし（ステップＳ１０１）、ｘｙ平面の各画素のＲＧＢデータを得る（ステップＳ１０２）。次いで、入力されたＲＧＢの各画素の最大値と最小値をそれぞれ求め（ステップＳ１０３，１０４）、さらに、入力のＲＧＢ画像の各画素に対してＲ、Ｇ、Ｂデータ間の差を求めて、この値を閾値ｃｌｒ＿ｔｈｒｅｔｈと比較する（ステップＳ１０５）。そして、前記値が閾値ｃｌｒ＿ｔｈｒｅｔｈ以上であれば色画素とする。この色画素の数を画像全面に渡って計測して（ステップＳ１０６）、この合計が閾値ｃｌｒｃｎｔ＿ｔｈｒｅｔｈより大きければ（ステップＳ１０７−Ｙ）対象画像がカラー画像であると判断する。一方、小さければ（ステップＳ１０８）、モノクロ画像と判断する。
【００２６】
カラー画像補正処理部１３０で処理されたカラー画像データとモノクロ画像補正処理部１４０で処理されたモノクロ画像データは蓄積制御装置１５０を経て画像蓄積装置１６０に蓄積される。蓄積制御装置１５０には画像全面が蓄積された後にカラー／モノクロ判定装置１２０の結果が通知される。この結果は画像蓄積装置１６０に画像データと対応付けられて蓄積される。カラー／モノクロ判定結果がカラーであった場合は蓄積されたカラー画像データが蓄積制御装置１５０により画像蓄積装置１６０から読み出されて多値画像圧縮装置１７０でＪＰＥＧなどに圧縮されてネットワークＩ／Ｆ１８０を経て送信される。カラー／モノクロ判定結果がモノクロであった場合も同様で、蓄積されたモノクロ画像データが多値画像圧縮装置１７０でＪＰＥＧなどに圧縮されてネットワークＩ／Ｆ１８０を経て送信される。
【００２７】
このように構成したことにより、画像蓄積装置１６０にカラー画像補正処理された画像データとモノクロ画像補正処理された画像データが蓄積されるとともに、カラー／モノクロ判定装置１２０で判定された結果が前記カラーあるいはモノクロ画像と対応づけて蓄積されているので、画像データを蓄積した後に処理を行ってから外部ネットワークに送信する必要がなくなる。これにより、画像を読み取って即座に画像の送信を行うことができる。
【００２８】
以上のように本実施形態によれば、予め処理を行ったカラースキャナ画像データとモノクロスキャナ画像データを蓄積するので、カラー／モノクロ判定が終了したら即座に画像データを送信することができる。
【００２９】
＜第２の実施形態＞
図５は第２の実施形態に係る画像処理装置の構成を示すブロック図である。なお、前記第１の実施形態と同等の構成については同一の参照符号を付し、重複する説明は省略する。
【００３０】
この実施形態は、第１の実施形態に対してさらにモノクロ画像の２値化を行う２値化装置１４５を備えている。このためモノクロ画像補正処理後のグレースケールデータは２値化装置１４５で２値データに変換される。カラー／モノクロ判定結果がカラーであった場合は、蓄積されたカラー画像データが蓄積制御装置１５０により画像蓄積装置１６０から読み出されて多値画像圧縮装置１７１でＪＰＥＧなどに圧縮され、ネットワークＩ／Ｆ１８０を経て送信される。一方、カラー／モノクロ判定結果がモノクロであった場合は蓄積されたモノクロ２値画像データが蓄積制御装置１５０によって画像蓄積装置１６０から読み出されて２値画像圧縮装置１７２でＭＨＭＲ方式などに圧縮され、ネットワークＩ／Ｆ１８０を経て送信される。
【００３１】
その他、特に説明しない各部は前述の第１の実施形態と同等に構成され、同等に機能する。
【００３２】
このように構成したことにより、第１の実施形態と同等に蓄積後に処理を行ってから外部ネットワークに送信する必要がないので、画像を読み取って即座に画像の送信を行うことができる。特にモノクロ判定された場合は２値データとなり、かつ２値に適した圧縮が行われるので転送データ量を減らすことができる。
【００３３】
以上のように本実施形態によれば、予め処理を行ったカラースキャナ画像とモノクロスキャナ２値画像を蓄積するので、カラー／モノクロ判定が終了したら即座に画像データを送信することができる。
【００３４】
＜第３の実施形態＞
図６は第３の実施形態に係る画像処理装置の要部構成を示すブロック図である。なお、前記第１及び第２の実施形態と同等の構成については同一の参照符号を付し、重複する説明は省略する。
【００３５】
この実施形態はモノクロ画像補正処理部１４０における処理をカラー画像補整処理部１３０における処理と一部共用したもので、図３のモノクロ画像補正処理部１４０におけるスキャナγ処理部１４１とフィルタ処理部１４２を図２のカラー画像補正処理部１３０のスキャナγ処理部１３１とフィルタ処理部１３２を使用する。そのため、本実施形態におけるモノクロ画像処理部１４０′はモノクロ変換処理部１４２及び出力γ処理部１４４からなり、その後段に第２の実施形態における２値化装置１４５が接続されている。その他の各部は前述の第２の実施形態と同等に構成されている。
【００３６】
このように構成すると、画像読み取り装置１１０で読み取られた画像データはスキャナγ処理部１３１、フィルタ処理部１３２においてそれぞれスキャナγ処理、フィルタ処理が行われる。ここまでは原稿がカラーでもモノクロでも同じ処理である。これ以降、カラー原稿を想定した処理フローでは色補正処理部１３３、出力γ処理部１３４を経てＲＧＢ画像データが蓄積制御装置１５０に送られる。同時にフィルタ処理部１３２でフィルタ処理後の出力はモノクロ変換処理部１４２を経てグレースケール画像信号（画像データ）に変換され、出力γ処理１４４及び２値化装置１４５を経て２値データが生成される。ＲＧＢの多値データ、モノクロ２値データ共に蓄積制御装置に送られ、画像蓄積装置１６０に蓄積される。
【００３７】
この第３の実施形態における画像処理装置ではカラー、モノクロに問わずスキャナγ処理部１３１、フィルタ処理部１３２が同じである。また、出力γ処理部１３４，１４４でカラー用の出力γとモノクロ用の出力γをそれぞれ画像濃度にあわせて変更する。例えばユーザが文字写真モードの濃度４を指定した場合には、フィルタは文字写真モードに適した周波数特性のフィルタを用いる。カラー用の出力γは濃度４に対応するものを用いる。モノクロ用の出力γも濃度４に対応するものを用いる。このような機構にすることでユーザが予め文字写真の濃度４と指定した場合、カラー／モノクロがどちらに判定されても文字写真の濃度４の画像が得られる。これはユーザが明示的にカラー／モノクロを指定した場合の画像とも一致するので自動判定時の画像の一貫性が保たれる。
【００３８】
その他、特に説明しない各部は前述の第１及び第２の実施形態と同等に構成され、同等に機能する。
【００３９】
このように構成したことにより、自動カラー／モノクロ判別モードの時に選択した画質モードがモノクロとカラーで一致もしくは連動するようにしたので、元の原稿がカラー／モノクロにかかわらずユーザが選択したモードに一致させることができる。
【００４０】
＜カラー／モノクロの判定＞
前述の第１ないし第３の実施形態では、カラー／モノクロ判定装置１２０でカラー画像かモノクロ画像かが判定される。図４に示したフローチャートでは、カラー／モノクロの判定の程度は２つの閾値ｃｌｒ＿ｔｈｒｅｔｈ及びｃｌｒｃｎｔ＿ｔｈｒｅｔｈで決定される。これらの閾値ｃｌｒ＿ｔｈｒｅｔｈ及びｃｌｒｃｎｔ＿ｔｈｒｅｔｈは、ともに小さくするほどカラー画像と判定しやすくなる。
【００４１】
ここでユーザが文字モードを明示的に指示してＡＣＳモード（自動カラーモノクロ判別モード）を動作させる場合と写真モードを指示してＡＣＳモードを動作させる場合では対象とされる原稿が異なると考えられる。文字モードを指示する場合は文字中心のオフィス原稿でほとんどがモノクロであり、カラー原稿の場合も彩度の高い鮮やかでカラーと判定しやすい原稿が多いことが予想される。反対に写真モードを指示した場合には、対象は全面絵柄のカラー画像が多いことが予想される。このことよりＡＣＳ文字モードではモノクロ判定しやすく、ＡＣＳ写真モードではカラー判定しやすくすることが実用的であると考えられる。そのため図７に示すように文字、文字写真、写真の画質モードに応じて色判定の閾値を変更する。このように色判定の閾値を変更することにより、モードに応じて精度良く色判定を行うことができる。このように判定の閾値を変更するという考え方は、画質モードにおける色判定以外にも例えば濃度ノッチの設定に関しても適用することができる。
【００４２】
このように前述の判定手法によれば、ユーザの選択する画質モードに応じてカラー／モノクロ判定の閾値を変更するので、実用的で誤判定の発生を最小限に抑えることができる。
【００４３】
＜画像形成装置＞
前記第１ないし第３の実施形態では、画像蓄積装置１６０から読み出されたカラー画像データあるいはモノクロ２値画像データが圧縮されてネットワークＩ／Ｆ１８０に出力されるが、図８に示すような画像形成装置の作像部側に出力された場合には当該画像形成装置で画像形成が行われる。作像部では、制御部において圧縮データが伸長され、光書き込み用のデータに変換され、Ｙ，Ｃ，Ｍ，Ｋ各色毎に光書き込みが行われ、画像が形成される。作像部は、感光体２００、帯電部２０１、書き込みユニット２０２、現像部２０３、図示しない１次転写部、クリーニング部２０７、中間転写ベルト２０８、２次転写部２０９、給紙部２０４、定着部２０５及び図示しないＣＰＵを含む制御部とから基本的に構成されている。書き込みユニット２０２は半導体レーザ（ＬＤ）とポリゴンミラーその他の書き込み光学系を使用した公知の光書き込み装置がＹＭＣＫの色毎に４個設けられたもので、色毎に光書き込みが行われる。以下、１つの色、図ではＫ色を例にとって説明する。
【００４４】
像を形成する場合には、感光体２００を帯電部２０１により帯電させ、書き込みユニット２０２から画像データに応じて変調されたＬＤ光を感光体２００に照射し、感光体２００表面に静電潜像を形成する。感光体２００上の静電潜像は現像部２０３において当該感光体２００に対応する色のトナーを付着させて現像され、顕像化されたトナー像が中間転写ベルト２０８に１次転写される。本実施形態ではＹ→Ｃ→Ｍ→Ｋの順で中間転写ベルト２０８に転写し、重畳されてフルカラーのカラー画像となる。一方、給紙部２０４から転写紙が給紙され、２次転写部２０９において前記フルカラーの画像が中間転写ベルト２０８から転写紙上に２次転写される。転写紙上に転写されたカラー画像は次段の定着部２０５で定着される。また、クリーニング部２０７で感光体２００表面に残った余分なトナー像が除去される。なお、モノクロの場合には、Ｋ色のみの書き込みで対応することになる。
【図面の簡単な説明】
【００４５】
【図１】本発明の第１の実施形態に係る画像処理装置の構成を示すブロック図である。
【図２】図１におけるカラー画像補正処理部の構成を示す機能ブロック図である。
【図３】図１におけるモノクロ画像補正処理部１４０の構成を示す機能ブロック図である。
【図４】原稿がカラーかモノクロかを判定する処理手順を示すフローチャートである。
【図５】第２の実施形態に係る画像処理装置の構成を示すブロック図である。
【図６】第３の実施形態に係る画像処理装置の要部構成を示すブロック図である。
【図７】文字、文字写真、写真の画質モードと色判定の閾値との関係を示す図である。
【図８】第１ないし第３の実施形態に係る画像処理装置によって処理された画像データに基づいて画像を形成する画像形成装置の作像部の概略構成の一例を示す図である。
【符号の説明】
【００４６】
１００  画像処理装置
１１０  画像読み取り装置
１２０  カラー／モノクロ判定装置
１３０  カラー画像補正処理部
１４０，１４０′  モノクロ画像補正処理部
１４５  ２値化装置
１５０  蓄積制御装置
１６０  画像蓄積装置
１７０，１７１  多値画像圧縮装置
１７２  ２値画像圧縮装置
１８０  ネットワークＩ／Ｆ
【図１】
0004550727.tif 000002
【図２】
0004550727.tif 000003
【図３】
0004550727.tif 000004
【図４】
0004550727.tif 000005
【図５】
0004550727.tif 000006
【図６】
0004550727.tif 000007
【図７】
0004550727.tif 000008
【図８】
0004550727.tif 000009